(57)【要約】    【課題】  従来、この種の製粉機のストックフィードロール手段、粉砕ロール手段は固定されており、掃除、分解、組付に多大の工数を要し苦慮しており、更に、粉砕ロールの交換が必要となったとき、取り外すのに特別の道具と重量物扱具と複数人の要員を必要とすると共に、生産作業の長時間の停止を余儀なくされていた。    【解決手段】  本発明は、製粉機本体１の上方に配設したストックホッパー１ａと、ストックフィードロール手段２と、粉砕ロール手段３とを備えた製粉機において、粉砕ロール手段は固定側粉砕ロール３１と移動側粉砕ロール３２とを並設させ、夫々の粉砕ロールを支持する軸受台３ｃを側壁１ｂに配設させると共に、軸受台を製粉機本体の両側の側壁に形成した摺動基体１ｃに摺動可能に乗載させ、摺動基体１ｃと軸受台３ｃとの間に圧縮空気噴射手段４の圧縮空気噴射口４ａを配設した。    【選択図】   図２
2005169199.tif 000002
【特許請求の範囲】
【請求項１】
製粉機本体の上方に配設した粗粉体又は粒体であるストックを貯留する入口筒付きストックホッパーと、該ストックホッパーのストックを下方に移送するストックフィードロール手段と、該ストックフィードロール手段を通過したストックを粉砕するための粉砕ロール手段とを備えた穀物・種子・固形樹脂等の製粉機において、前記粉砕ロール手段は固定側粉砕ロールと移動側粉砕ロールとを並設させ、該夫々の粉砕ロールの両端には回転軸を突出させ、該夫々の回転軸を回転自在に軸受で軸着し、該夫々の軸受を下方から支持する軸受台を製粉機本体の両側の側壁に配設し、該軸受台に前記固定側粉砕ロールを回転自在に支承する固定側ロール軸受ケースを立設固定させると共に前記移動側粉砕ロールの外周を内包するように移動側ロール軸受ケースを枢動軸により枢動可能に立設させ、前記固定側ロール軸受ケースと前記移動側ロール軸受ケースとを夫々の粉砕ロールの間隙を進退させて調整するためのロール隙間微調整機構で接続させると共に、前記粉砕ロール手段の両側の軸受台を製粉機本体の両側の側壁に形成した摺動基体に摺動可能に乗載させ、前記摺動基体の上面と軸受台の下面との間に圧縮空気を噴射させる圧縮空気噴射手段の圧縮空気噴射口を配設したことを特徴とするメンテナンスを容易化する穀物・種子・固形樹脂等の製粉機。
【請求項２】
前記ストックフィードロール手段は複数のストックフィードロールを斜め方向に高さを違えて配設し、夫々のストックフィードロールの両端には回転軸を突出させ、該夫々の回転軸を回転自在に両側のフィードロール固定板に軸着し、該フィードロール固定板には進退可能なフィーダーゲート開閉用エアシリンダを固定し、該フィーダーゲート開閉用エアシリンダと枢動ピンを介してフィーダーゲートの間隔を開閉及び調整させるフィーダーゲート用開閉レバーを接続すると共に、前記両側のフィードロール固定板は両側の製粉機本体の側壁に水平方向に摺動可能な摺動機構で担持させたことを特徴とする請求項１に記載のメンテナンスを容易化する穀物・種子・固形樹脂等の製粉機。
【発明の詳細な説明】
【技術分野】
【０００１】
本発明は清潔衛生保持メンテナンスを容易化する穀物・種子・固形樹脂等の製粉機に関するものであり、更に詳細には、穀物・種子・固形樹脂等のストックホッパーに流入された粗粉体又は粒体であるストックを設定された粒度の粉末に粉砕するための粉砕ロール手段を製粉機本体から容易に引き出して清潔衛生保持メンテナンスを行うためのメンテナンスを容易化する穀物・種子・固形樹脂等の製粉機に関するものである。
【背景技術】
【０００２】
従来、この種の穀物・種子・固形樹脂等の製粉機のストックフィードロール手段、及び、粉砕ロール手段は夫々製粉機本体に固定されており、異種のストックを粉砕する場合や、清潔衛生保持のために掃除をしたり、粉砕ロールの再生交換、補修するようなメンテナンスを行う場合に狭い箇所と混み入った構造のために掃除、分解、組み付けに多大の工数を要し苦慮しており、更に、粉砕ロールの消耗により交換が必要となったとき、製粉機本体から粉砕ロールを取り外すのに特別の道具とチェーンブロック等の重量物扱具と複数人の要員を必要とすると共に、生産作業の長時間の停止を余儀なくされているものであった。
【０００３】
その為に、例えば、掃除の容易化のために、ロールの傾斜上方側に設けた前面ドアーは、前面ドアー上部とフレームとの間にヒンジを取り付けて、前面ドアー下端が手前側から上方側に回動して上方側にて自立するように形成するとともに、ロール外周を覆うロールカバーは、ロール上部を覆うメインロールカバーと、案内シュートを覆うフィードロールカバーとから形成し、メインロールカバーとフィードロールカバーとの間に第１支点軸を介設して、メインロールカバーをフィードロールカバー側へ折り畳み可能な構成とし、フィードロールカバー上部には、フレームとの間に第２支点軸を設けてメインロールカバーを折り畳んだ状態で上方に回動可能な構成としたもの（特許文献１参照）や、一対のミルローラの上方に配置される分配ローラ及び配量装置を有するそれ自体公知のフィーダシステムを基礎としておりかつ特に衛生及びアクセスの改良を図るものであり、この改良は、回転軸のまわりに枢支され得る枠にサブアセンブリとして、配量装置、分配ローラを取り付けることによって行われるもの（特許文献２参照）等が開示されている。
【特許文献１】特開２００２−１７７８０２号公報（第１頁、図１）
【特許文献２】特表２００１−５２３１５２号公報（第１頁、図１）
【発明の開示】
【発明が解決しようとする課題】
【０００４】
然し乍ら、ロールの傾斜上方側に設けた前面ドアーは、前面ドアー上部とフレームとの間にヒンジを取り付けて、前面ドアー下端が手前側から上方側に回動して上方側にて自立するように形成するとともに、ロール外周を覆うロールカバーは、ロール上部を覆うメインロールカバーと、案内シュートを覆うフィードロールカバーとから形成し、メインロールカバーとフィードロールカバーとの間に第１支点軸を介設して、メインロールカバーをフィードロールカバー側へ折り畳み可能な構成とし、フィードロールカバー上部には、フレームとの間に第２支点軸を設けてメインロールカバーを折り畳んだ状態で上方に回動可能な構成としたものでは、フィーダーゲートフィーダーロールユニットの本体への固着は従来と変わらず十分な掃除は出来ないし、補修等のメンテナンスにおいては狭い個所での分解作業を要するものであり、又、部品交換、ロール交換等の場合には、狭い場所で個々に分解を要し、重量物取り扱いのため多くの手数を要し、危険も伴うものである。
【０００５】
また、一対のミルローラの上方に配置される分配ローラ及び配量装置を有するそれ自体公知のフィーダシステムを基礎としておりかつ特に衛生及びアクセスの改良を図るものであり、この改良は、回転軸のまわりに枢支され得る枠にサブアセンブリとして、配量装置、分配ローラを取り付けることによって行われるものでは、フィーダシステムが組まれたままでの作業となり、奥まった機械内側の衛生面で重要な部位の掃除が充分にできない上、補修やパーツの交換等のメンテナンス上も課題があるものである。
【課題を解決するための手段】
【０００６】
本発明は、前述の課題に鑑み、鋭意研鑽の結果、請求項１に記載のメンテナンスを容易化する穀物・種子・固形樹脂等の製粉機は、製粉機本体の上方に配設したストックを貯留する入口筒付きストックホッパーと、ストックホッパーのストックを移送するストックフィードロール手段と、ストックフィードロール手段を通過したストックを粉砕するための粉砕ロール手段とを備えた穀物・種子・固形樹脂等の製粉機において、粉砕ロール手段は固定側粉砕ロールと移動側粉砕ロールとを並設させ、粉砕ロールには回転軸を突出させ、回転軸を回転自在に軸受で軸着し、軸受を支持する軸受台を製粉機本体の両側に配設し、軸受台に固定側粉砕ロールを支承する固定側ロール軸受ケースを立設固定させると共に移動側粉砕ロールを内包するように移動側ロール軸受ケースを枢動軸により枢動可能に立設させ、固定側ロール軸受ケースと移動側ロール軸受ケースとをロール隙間微調整機構で接続させると共に、粉砕ロール手段の軸受台を製粉機本体の両側の側壁に形成した摺動基体に摺動可能に乗載させ、摺動基体の上面と軸受台の下面との間に圧縮空気を噴射させる圧縮空気噴射手段の圧縮空気噴射口を配設したものである。
【０００７】
更には、請求項２に記載のメンテナンスを容易化する穀物・種子・固形樹脂等の製粉機は、請求項１に記載のメンテナンスを容易化する穀物・種子・固形樹脂等の製粉機において、ストックフィードロール手段は複数のストックフィードロールを配設し、ストックフィードロールの両端には回転軸を突出させ、回転軸を両側のフィードロール固定板に軸着し、フィードロール固定板にはフィーダーゲート開閉用エアシリンダを固定し、フィーダーゲート開閉用エアシリンダと枢動ピンを介してフィーダーゲートを調整させるフィーダーゲート用開閉レバーを接続すると共に、両側のフィードロール固定板は両側の製粉機本体の側壁に摺動機構で担持させたものである。
【発明の効果】
【０００８】
本発明のメンテナンスを容易化する穀物・種子・固形樹脂等の製粉機は、一対の粉砕ロールを軸受を介して支持する軸受台を本体基台に摺動自在に乗載させており、本体基台の上面と軸受台の下面との間に圧縮空気を噴射させる圧縮空気噴射手段の圧縮空気噴射口を配設したことによって、メンテナンス時に粉砕ロール手段を容易に引き出すことを可能とし、引き出した粉砕ロール手段に掃除、部品の交換、補修等のメンテナンスを容易に施し、復元させる時も圧縮空気を圧縮空気噴射口から噴射させることにより容易に押し入れることを可能とするものでメンテナンスに要する時間と工数を半減し、また、製粉機の配置上、製粉機の前面のスペースが狭く、粉砕ロール手段を充分に引き出せない場合、従来通り一対の粉砕ロールを１本ごと専用工具を用いて外に取り出すことも可能であり、極めて実用性の高い発明である。
【発明を実施するための最良の形態】
【０００９】
本発明は清潔衛生保持メンテナンスを容易化する穀物・種子・固形樹脂等の製粉機に関するものであり、更に詳細には、穀物・種子・固形樹脂等のストックホッパーに流入された粗粉体又は粒体であるストックを設定された粒度の粉末に粉砕するための粉砕ロール手段を製粉機本体から容易に引き出して清潔衛生保持メンテナンスを行うためのメンテナンスを容易化する穀物・種子・固形樹脂等の製粉機に関するものであり、請求項１に記載のメンテナンスを容易化する穀物・種子・固形樹脂等の製粉機は、製粉機本体１の上方に配設した粗粉体又は粒体であるストックを貯留する入口筒付きストックホッパー１ａと、該ストックホッパー１ａのストックを下方に移送するストックフィードロール手段２と、該ストックフィードロール手段２を通過したストックを粉砕するための粉砕ロール手段３とを備えた穀物・種子・固形樹脂等の製粉機において、前記粉砕ロール手段３は固定側粉砕ロール３１と移動側粉砕ロール３２とを並設させ、該夫々の粉砕ロール３１．３２の両端には回転軸３ａを突出させ、該夫々の回転軸３ａを回転自在に軸受３ｂで軸着し、該夫々の軸受３ｂを下方から支持する軸受台３ｃを製粉機本体１の両側の側壁１ｂに配設し、該軸受台３ｃに前記固定側粉砕ロール３１を回転自在に支承する固定側ロール軸受ケース３１ａを立設固定させると共に前記移動側粉砕ロール３２の外周を内包するように移動側ロール軸受ケース３２ａを枢動軸３２ｂにより枢動可能に立設させ、前記固定側ロール軸受ケース３１ａと前記移動側ロール軸受ケース３２ａとを夫々の粉砕ロール３１．３２の間隙を進退させて調整するためのロール隙間微調整機構３ｄで接続させると共に、前記粉砕ロール手段３の両側の軸受台３ｃを製粉機本体１の両側の側壁１ｂに形成した摺動基体１ｃに摺動可能に乗載させ、前記摺動基体１ｃの上面と軸受台３ｃの下面との間に圧縮空気を噴射させる圧縮空気噴射手段４の圧縮空気噴射口４ａを配設したものである。
【００１０】
更に、請求項２に記載のメンテナンスを容易化する穀物・種子・固形樹脂等の製粉機は、請求項１に記載のメンテナンスを容易化する穀物・種子・固形樹脂等の製粉機において、前記ストックフィードロール手段２は複数のストックフィードロール２ａを斜め方向に高さを違えて配設し、夫々のストックフィードロール２ａの両端には回転軸２ｂを突出させ、該夫々の回転軸２ｂを回転自在に両側のフィードロール固定板２ｃに軸着し、該フィードロール固定板２ｃには進退可能なフィーダーゲート開閉用エアシリンダ２ｄを固定し、該フィーダーゲート開閉用エアシリンダ２ｄと枢動ピン２ｅを介してフィーダーゲートの間隔を開閉及び調整させるフィーダーゲート用開閉レバー２ｆを接続すると共に、前記両側のフィードロール固定板２ｃは両側の製粉機本体１の側壁１ｂに水平方向に摺動可能な摺動機構５で担持させたものである。
【実施例】
【００１１】
以下、本発明のメンテナンスを容易化する穀物・種子・固形樹脂等の製粉機の実施例の図面を用いて詳細に説明すると、図１は本発明のメンテナンスを容易化する穀物・種子・固形樹脂等の製粉機の実施例の概要を説明するための概要正面図であり、図２は本発明のメンテナンスを容易化する穀物・種子・固形樹脂等の製粉機の実施例の概要を説明するための概要側面図であり、図３は本発明のメンテナンスを容易化する穀物・種子・固形樹脂等の製粉機の実施例の要部平面図であり、図４は本発明のメンテナンスを容易化する穀物・種子・固形樹脂等の製粉機の実施例の側壁の概要説明図であり、図５は本発明のメンテナンスを容易化する穀物・種子・固形樹脂等の製粉機の実施例のストックフィードロール手段の正面説明図であり、図６は本発明のメンテナンスを容易化する穀物・種子・固形樹脂等の製粉機の実施例のストックフィードロール手段の取り付けを説明する側面説明図である。
【００１２】
即ち、本発明のメンテナンスを容易化する穀物・種子・固形樹脂等の製粉機は、図１図示する如く、対称的に２組の製粉機本体１は隔壁によって隔てられ夫々側壁１ｂによって囲まれたもので、夫々の側壁１ｂの上方に入口筒を設けたストックホッパー１ａを備え、下方に製品排出用ホッパーを備え、中央辺には後述するストックフィードロール手段２と粉砕ロール手段３を夫々備えているものであり、以後の詳述は片側の穀物・種子・固形樹脂等の製粉機のみで述べるものである。
【００１３】
そして、ストックホッパー１ａは穀物・種子・固形樹脂等の製粉機の上方に配設され、頂部には入口筒を設けており、該入口筒にはストックを上流工程の供給源から供給する配管等の供給系を接続しており、ストックを受け入れ貯留するものであり、下方には後述するストックフィードロール手段２であるストックフィードロール２ａやフィーダーゲートの間隔を開閉するフィーダーゲート開閉機構２ｄ．２ｅ．２ｆを備え、ストックフィードロール２ａやフィーダーゲート開閉機構２ｄ．２ｅ．２ｆに接し上方から下方に窄まる傾斜板を備え、ストックは総てフィーダーゲートを通過するようにしており、入口筒の側辺には外からストックレベルを目視できる透明窓を備えているものである。
【００１４】
次に、ストックフィードロール手段２は製粉機本体１の両側の側壁１ｂにボルトで着脱自在に夫々固定された両側のフィードロール固定板２ｃに組設しているもので、後述するストックフィードロール２ａとフィーダーゲートの間隙を調整するフィーダーゲート開閉用エアシリンダ２ｄ等とから成るものである。
【００１５】
更に、粉砕ロール手段３の固定側粉砕ロール３１と移動側粉砕ロール３２とはストックホッパー１ａに貯留されたストックがストックフィードロール手段２のフィーダーゲートの間隔を通り、ストックフィードロール２ａによって移送されたストックを設定された粒度の粉状に粉砕するために水平方向に並設されているものであり、製粉機本体１に設けられた粉砕ロール用駆動モータ（図示しない）とベルト、プーリー等で機械的に接続されて相対的に中心方向に夫々回転させるものである。
【００１６】
更には、一対の粉砕ロール３１．３２の夫々の両端には回転軸３ａを突出させており、夫々の回転軸３ａは回転自在に軸受３ｂに軸着されており、該軸受３ｂは下方から軸受台３ｃに支持固定されており、該軸受台３ｃの下面は後述する製粉機本体１の両側の側壁１ｂに形成した摺動基体１ｃの上面と摺動可能に当接させ乗載させているものである。
【００１７】
そして、固定側ロール軸受ケース３１ａは固定側粉砕ロール３１を回転自在に支承され軸受台３ｃに立設固定させているものであり、また、移動側ロール軸受ケース３２ａは移動側粉砕ロール３２の外周を回転可能に内包するように配設され軸受台３ｃに枢動軸３２ｂにより、固定側粉砕ロール３１と移動側粉砕ロール３２との離合のため枢動自在に立設させているものであり、固定側ロール軸受ケース３１ａと移動側ロール軸受ケース３２ａとは後述するロール隙間微調整機構３ｄで接続されているものである。
【００１８】
次に、ロール隙間微調整機構３ｄは固定側粉砕ロール３１と移動側粉砕ロール３２とを回転自在に支承された固定側ロール軸受ケース３１ａと移動側ロール軸受ケース３２ａとを接続しており、ネジ棒を内装し進退させることにより、枢動可能な移動側粉砕ロール３２が枢動することで固定側粉砕ロール３１との間隔を所望する粒度の粉体になるように微調整するものである。
【００１９】
次いで、摺動基体１ｃは製粉機本体１の両側の側壁１ｂに形成したもので、上面は図２に図示する如くレール状に突出させたスライド凸条を形成しており、該スライド凸条を跨ぐように夫々の軸受台３ｃの下面にスライド凹溝を形成して摺動可能に乗載させているものである。
【００２０】
更に、図３に図示の如く、圧縮空気噴射手段４はコンプレッサー等に連繋された空気配管系を着脱自在に接続できる軸受台３ｃに穿った圧縮空気受入長孔４ｂと、該圧縮空気受入長孔４ｂに沿い軸受台３ｃの下面のスライド凹溝に貫通する複数の細径の圧縮空気噴射口４ａと圧縮空気分配溝４ｃとを配設したものであり、つまり、摺動基体１ｃの上面と軸受台３ｃの下面との間に複数の圧縮空気噴射口４ａと圧縮空気受入長孔４ｂと圧縮空気分配溝４ｃとにより圧縮空気を均等に噴射させることで、摺動基体１ｃの上面のスライド凸条と軸受台３ｃの下面のスライド凹溝との間に空気層を形成することにより粉砕ロール手段３を水平方向に引き出し及び押し戻しのとき容易にスライドするものである。
【００２１】
そして、枢動可能な移動側粉砕ロール３２の移動側ロール軸受ケース３２ａの下端は枢動軸３２ｂで軸受台３ｃに枢着されており、該枢動軸３２ｂにアーム３２ｃを介装して粉砕ロール離合用アクチュエーター３２ｄに機械的に接続して、粉砕ロール離合用アクチュエーター３２ｄを進退させることにより、移動側粉砕ロール３２と固定側粉砕ロール３１の間を離合させるものである。
【００２２】
更に、ストックフィードロール手段２のストックフィードロール２ａは実施例では２本のロールを斜め方向に高さを違えてストックホッパー１ａの下方の開口に横設するもので、夫々ストックフィードロール２ａを同一方向に回転することによりストックホッパー１ａ内のストックを後述するフィーダーゲートの間隙を通して下方に移送するものであり、夫々のストックフィードロール２ａは両端に回転軸２ｂを突出させ、夫々の回転軸２ｂは両側に配設し後述する製粉機本体１の両側に着脱可能に固定された夫々のフィードロール固定板２ｃに回転自在に軸着しており、可変速のストックフィードロール用ギアドモータ２ｇに機械的に接続されているものである。
【００２３】
次いで、フィーダーゲートはストックフィードロール２ａで移送されるストックの流れの量を調整するものであり、枢動ピン２ｅにより枢着されたフィーダーゲート用開閉レバー２ｆを空圧で作動するフィーダーゲート開閉用エアシリンダ２ｄに機械的に接続しており、フィーダーゲート開閉エアシリンダ２ｄを進退させることによりフィーダーゲート用開閉レバー２ｆを枢動させ、フィーダーゲート用開閉レバー２ｆとストックフィードロール２ａとの間のフィーダーゲートの間隔を開閉及び調整するものである。
【００２４】
そして、摺動機構５は製粉機本体１の両側の側壁１ｂに水平方向に配設した略コ字状の片方のレール５ａに摺動自在に嵌合する両側のフィードロール固定板２ｃに配設した他方のレール５ｂで担持させており、ストックフィードロール手段２を手前に引くことで容易に摺動可能と成るものである。
【００２５】
尚、本発明のメンテナンスを容易化する穀物・種子・固形樹脂等の製粉機の運転時は夫々のパーツは固定部位でボルト等により確り固定されており、メンテナンス時に固定部位の固定を解放することで、粉砕ロール手段３、及び、ストックフィードロール手段２に引き出し及び押し戻しを容易とするものである。
【産業上の利用可能性】
【００２６】
本発明のメンテナンスを容易化する穀物・種子・固形樹脂等の製粉機は、粒状又は粗紛状の穀物・種子・固形樹脂等のストックを設定された粒度に粉砕する粉砕ロール手段、及び、ストックフィードロール手段の引き出し、押し戻しを軽い力で行いメンテナンスを容易とするものである。
【図面の簡単な説明】
【００２７】
【図１】図１は本発明のメンテナンスを容易化する穀物・種子・固形樹脂等の製粉機の実施例の概要を説明するための概要正面図である。
【図２】図２は本発明のメンテナンスを容易化する穀物・種子・固形樹脂等の製粉機の実施例の概要を説明するための概要側面図である。
【図３】図３は本発明のメンテナンスを容易化する穀物・種子・固形樹脂等の製粉機の実施例の要部平面図である。
【図４】図４は本発明のメンテナンスを容易化する穀物・種子・固形樹脂等の製粉機の実施例の側壁の概要説明図である。
【図５】図５は本発明のメンテナンスを容易化する穀物・種子・固形樹脂等の製粉機の実施例のストックフィードロール手段の正面説明図である。
【図６】図６は本発明のメンテナンスを容易化する穀物・種子・固形樹脂等の製粉機の実施例のストックフィードロール手段の取り付けを説明する側面説明図である。
【符号の説明】
【００２８】
１      製粉機本体
１ａ    ストックホッパー
１ｂ    側壁
１ｃ    摺動基体
２      ストックフィードロール手段
２ａ    ストックフィードロール
２ｂ    回転軸
２ｃ    フィードロール固定板
２ｄ    フィーダーゲート開閉用エアシリンダ
２ｅ    枢動ピン
２ｆ    フィーダーゲート用開閉レバー
２ｇ    ストックフィードロール用ギアドモータ
３      粉砕ロール手段
３１    固定側粉砕ロール
３１ａ  固定側ロール軸受ケース
３２    移動側粉砕ロール
３２ａ  移動側ロール軸受ケース
３２ｂ  枢動軸
３２ｃ  アーム
３２ｄ  粉砕ロール離合用アクチュエーター
３ａ    回転軸
３ｂ    軸受
３ｃ    軸受台
３ｄ    ロール隙間微調整機構
４      圧縮空気噴射手段
４ａ    圧縮空気噴射口
４ｂ    圧縮空気受入長孔
４ｃ    圧縮空気分配溝
５      摺動機構
５ａ    片方のレール
５ｂ    他方のレール
【図１】
2005169199.tif 000003
【図２】
2005169199.tif 000004
【図３】
2005169199.tif 000005
【図４】
2005169199.tif 000006
【図５】
2005169199.tif 000007
【図６】
2005169199.tif 000008